(57)【要約】【課題】走査電極ラインを使用して保存キャパシタが形成されたフィールド順次型液晶ディスプレイパネルを提供する。【解決手段】それぞれのセル領域が薄膜トランジスタ３３２及びセル電極Ｅ１１Ｒ〜Ｅ３１Ｂを含み、薄膜トランジスタ３３２のドレーンＤまたはソースＳがセル電極Ｅ１１Ｒ〜Ｅ３１Ｂに連結され、それぞれの走査電極ラインＬＳ１〜ＬＳ３に薄膜トランジスタ３３２のゲートＧが連結され、それぞれのデータ電極ラインＬＤ１〜ＬＤ３が薄膜トランジスタ３３２のソースＳまたはドレーンＤに連結されるフィールド順次型液晶ディスプレイパネルである。ここで、それぞれのセル電極Ｅ１１Ｒ〜Ｅ３１Ｂとそれぞれのセル電極Ｅ１１Ｒ〜Ｅ３１Ｂに隣接される走査電極ラインＬＳ１〜ＬＳ３間にそれぞれのセル電極３３２に印加される電圧を維持させるための保存キャパシタＣ１１Ｒ〜Ｃ３１Ｂが形成される。【選択図】図８
2005037874.tif 000002
【特許請求の範囲】
【請求項１】
それぞれのセル領域が薄膜トランジスタ及びセル電極を含み、前記薄膜トランジスタのドレーンまたはソースが前記セル電極に連結され、それぞれの走査電極ラインに前記薄膜トランジスタのゲートが連結され、それぞれのデータ電極ラインが前記薄膜トランジスタのソースまたはドレーンに連結されるフィールド順次型液晶ディスプレイパネルにおいて、
前記それぞれのセル電極と前記それぞれのセル電極とに隣接される走査電極ライン間に前記それぞれのセル電極に印加される電圧を維持させるための保存キャパシタが形成されたフィールド順次型液晶ディスプレイパネル。
【請求項２】
第ｉ（ｉは、１以上の整数）走査電極ラインと、第（ｉ＋１）走査電極ラインのそれぞれのセル電極間に前記保存キャパシタが形成されたことを特徴とする請求項１に記載のフィールド順次型液晶ディスプレイパネル。
【請求項３】
前記第ｉ（ｉは、１以上の整数）走査電極ラインと、前記第（ｉ＋１）走査電極ラインのそれぞれのセル電極の一端部が互いに対向して配列されていることを特徴とする請求項２に記載のフィールド順次型液晶ディスプレイパネル。
【請求項４】
第ｉ（ｉは、１以上の整数）走査電極ラインと、前記第ｉ走査電極ラインのそれぞれのセル電極間に前記保存キャパシタが形成されたことを特徴とする請求項１に記載のフィールド順次型液晶ディスプレイパネル。
【請求項５】
前記保存キャパシタのキャパシタンスが、０．０７ｐＦないし０．２ｐＦであることを特徴とする請求項１に記載のフィールド順次型液晶ディスプレイパネル。
【発明の詳細な説明】
【技術分野】
【０００１】
本発明は、フィールド順次型液晶ディスプレイパネルに係り、さらに詳細には、単位フレームごとに階調ディスプレイのためのフィールドが存在するフィールド順次型液晶ディスプレイ装置に含まれた液晶ディスプレイパネルに関する。
【背景技術】
【０００２】
通常的フィールド順次型液晶ディスプレイ装置、例えば、特許文献１のフィールド順次型液晶ディスプレイ装置では、フレームごとに赤色、緑色、及び青色のバックライトを順次に発光させる照明装置が液晶ディスプレイパネルの下部に設置される。また、単位フレームが赤色、緑色、及び青色フィールドに区分される。赤色フィールドでは、赤色のバックライトだけが発光し、赤色セルの位置の液晶が駆動される。緑色フィールドでは、緑色のバックライトだけが発光し、緑色セルの位置の液晶が駆動される。青色フィールドでは、青色のバックライトだけが発光し、青色セルの位置の液晶が駆動される。
【０００３】
図１を参照すれば、通常的なフィールド順次型液晶ディスプレイ装置は、液晶ディスプレイパネル１０、照明装置４０、データ変換部５１、映像メモリ５２、バッファ５３、走査駆動部５４、データ駆動部５５、照明制御部５６、及び制御部５７を含む。
【０００４】
制御部５７は、データ変換部５１、映像メモリ５２、バッファ５３、走査駆動部５４、データ駆動部５５、及び照明制御部５６の動作を制御する。
【０００５】
照明制御部５６の制御によって動作する照明装置４０は、液晶ディスプレイパネル１０の下部に設置されてフレームごとに赤色、緑色、及び青色のバックライトを順次に発光させる。
【０００６】
制御部５７の制御によって動作するデータ変換部５１は、入力される映像データを赤色データ、緑色データ、及び青色データに変換させ、制御部５７からの書き込み命令信号によって映像メモリ５２に保存される。映像メモリ５２に保存された各色相のデータは、制御部５７からの読み出し命令信号によって各色相別にバッファ５３に伝送される。バッファ５３に入力された各色相の映像データは、直列データの形式にデータ駆動部５５に入力される。データ駆動部５５は、各色相別に順次に入力される直列データを処理し、液晶ディスプレイパネル１０のデータ電極ラインを駆動する。また、走査駆動部５４は、制御部５７からのタイミング制御信号によって液晶ディスプレイパネル１０の走査電極ラインを駆動する。
【０００７】
図２は、図１のフィールド順次型液晶ディスプレイパネル１０の駆動方法を示す図面である。図１及び２を参照すれば、単位フレームは、赤色フィールドＴＲ、緑色フィールドＴＧ、及び青色フィールドＴＢに区分される。それぞれのフィールドＴＲ，ＴＧ，ＴＢは、走査時間ＴＲＳ，ＴＧＳ，ＴＢＳと照明時間ＴＲＬ，ＴＧＬ，ＴＢＬとに区分される。走査時間ＴＲＳ，ＴＧＳ，ＴＢＳでは、走査電極ラインＬＳ１，．．．，ＬＳｎに順次に走査信号が印加されつつデータ電極ラインにデータ信号が印加されて、液晶ディスプレイパネル１０の液晶セルが駆動される。照明時間ＴＲＬ，ＴＧＬ，ＴＢＬでは、照明装置４０から所定色相のバックライトが液晶セルを通じて液晶ディスプレイパネル１０の上に出射される
一方、カラーフィルター型液晶ディスプレイパネルを駆動する場合、単位フレームで全ての走査電極ラインが各々１回ずつ走査され、電圧が維持される。したがって、フィールド順次型液晶ディスプレイ装置の場合、カラーフィルター型液晶ディスプレイ装置に比べて高速走査が要求され、走査後の電圧維持時間が非常に短い。走査時間ＴＲＳ，ＴＧＳ，ＴＢＳと照明時間ＴＲＬ，ＴＧＬ，ＴＢＬとが同じに設定された場合、前記電圧維持時間は、それぞれの走査電極ラインによってカラーフィルター型液晶ディスプレイ装置に比べて約１／３ないし１／６培の電圧維持時間が必要である。例えば、第１走査電極ラインＬＳ１の液晶セルの電圧維持時間は、カラーフィルター型液晶ディスプレイ装置に比べて約１／３培の電圧維持時間が必要である。第ｎ走査電極ラインＬＳｎの液晶セルの電圧維持時間は、カラーフィルター型液晶ディスプレイ装置に比べて約１／６培の電圧維持時間が必要である。
【０００８】
図２及び３を参照して、図１の液晶ディスプレイパネル１０の従来の構成を説明すれば、次の通りである。以下の説明において、薄膜トランジスタ３３２のドレーンとソースとは、入れ替わりうる。
【０００９】
それぞれのセル領域は、薄膜トランジスタ３３２及びセル電極Ｅ１１ＲないしＥ３１Ｂを含む。薄膜トランジスタ３３２のドレーンＤは、セル電極Ｅ１１ＲないしＥ３１Ｂに連結される。薄膜トランジスタら３３２のゲートＧは、走査駆動部５４からのそれぞれの走査電極ラインＬＳ１ないしＬＳ３に連結される。データ駆動部５５からのそれぞれのデータ電極ラインＬＤ１ないしＬＤ３は、薄膜トランジスタ３３２のソースＳに連結される。セル電極Ｅ１１ＲないしＥ３１Ｂと共通電極ラインＣＯＭ間には走査後の電圧維持のための保存キャパシタＣ１１ＲないしＣ３１Ｂが連結される。
【００１０】
このように構成された従来のフィールド順次型液晶ディスプレイパネル１０の駆動過程を赤色フィールドＴＲを例を挙げて説明する。
【００１１】
第１走査電極ラインＬＳ１に高い電圧（Ｎチャンネルである場合）の走査信号が印加されれば、第１走査電極ラインＬＳ１の薄膜トランジスタがターンオンされ、データ駆動部５５からの赤色用データ電圧信号が赤色用セル電極Ｅ１１Ｒに印加されて、赤色用液晶セルＬ１１Ｒが駆動される。このような走査動作は、走査時間ＴＲＳ間に次の走査電極ラインＬＳ２ないしＬＳｎに対しても順次に行われる。
【００１２】
それぞれの走査電極ラインの走査終了時点から照明時間ＴＲＬの開示時点までの時間で行われる電圧維持動作は、赤色用保存キャパシタＣ１１ＲないしＣ３１Ｒによってなる。
【００１３】
照明時間ＴＲＬでは、照明装置４０から赤色のバックライトが赤色用液晶セルＬ１１ＲないしＬ３１Ｒを通じて液晶ディスプレイパネル１０の上に出射される。
【００１４】
図４は、図３のフィールド順次型液晶ディスプレイパネル１０の下部基板のパターン構造を示す図面である。図５は、図４の第１列及び第１カラムのセル領域の薄膜トランジスタの断面を示す図面である。
【００１５】
図４及び５を参照すれば、下部ガラス基板５１上にゲートＧを含む走査電極ラインＬＳ１ないしＬＳｎが形成される。走査電極ラインＬＳ１，ＬＳ２上には絶縁層５２が形成され、この絶縁層５２上に半導体層ＳＥが形成される。この半導体層ＳＥ上にはソースＳを含むデータ電極ラインＬＤ１ないしＬＤ３、及びドレーンＤが形成される。データ電極ラインＬＤ１ないしＬＤ３及びドレーンＤ上には絶縁層５２が形成され、この絶縁層５２上に共通電極ラインＣＯＭが形成される。共通電極ラインＣＯＭ上にも絶縁層５２が形成される一方、ドレーンＤ上に金属コンタクトＣＴが形成される。共通電極ラインＣＯＭ上の絶縁層５２上にはセル電極Ｅ１１ＲないしＥ２１Ｂが形成される。共通電極ラインＣＯＭとセル電極Ｅ１１ＲないしＥ２１Ｂとが対向するように配列されることによって保存キャパシタＣ１１ＲないしＣ２１Ｂが形成される。ここで、共通電極ラインＣＯＭとセル電極Ｅ１１ＲないしＥ２１Ｂ間の間隔が狭いので、保存キャパシタＣ１１ＲないしＣ２１Ｂのキャパシタンスがカラーフィルター型液晶ディスプレイのように高い。したがって、前記電圧維持時間がカラーフィルター型液晶ディスプレイのように長い。
【００１６】
前記のような従来のフィールド順次型液晶ディスプレイパネルによれば、前記電圧維持時間が短くてキャパシタＣ１１ＲないしＣ３１Ｂの必要キャパシタンスが低いにも拘わらず、保存キャパシタＣ１１ＲないしＣ３１Ｂの形成のために共通電極ラインＣＯＭが下部基板上に別途に形成される。これにより、共通電極ラインＣＯＭの存在によって、フィールド順次型液晶ディスプレイパネルの開口率が低くなって輝度性能が低下される問題点がある。
【特許文献１】韓国特許公開第２７７１７号公報（２００３年）
【発明の開示】
【発明が解決しようとする課題】
【００１７】
本発明の目的は、フィールド順次型液晶ディスプレイパネルの駆動特性に符合して輝度性能が高められるフィールド順次型液晶ディスプレイパネルを提供することである。
【課題を解決するための手段】
【００１８】
前記目的を達成するための本発明のフィールド順次型液晶ディスプレイパネルでは、それぞれのセル領域が薄膜トランジスタ及びセル電極を含み、前記薄膜トランジスタのドレーンまたはソースが前記セル電極に連結され、それぞれの走査電極ラインに前記薄膜トランジスタのゲートが連結され、それぞれのデータ電極ラインが前記薄膜トランジスタのソースまたはドレーンに連結される。ここで、前記それぞれのセル電極と前記それぞれのセル電極に隣接される走査電極ライン間に前記それぞれのセル電極に印加される電圧を維持させるための保存キャパシタが形成される。
【発明の効果】
【００１９】
本発明によるフィールド順次型液晶ディスプレイパネルによれば、フィールド順次型液晶ディスプレイパネルの駆動特性に符合して保存キャパシタがセル電極とこのセル電極に隣接される走査電極ライン間に形成される。これにより、保存キャパシタの形成のために電極ライン、例えば、共通電極ラインらが別途に形成される必要がないので、フィールド順次型液晶ディスプレイパネルの開口率が高まって輝度性能が向上されうる。
【発明を実施するための最良の形態】
【００２０】
以下、本発明は添付された図面によって望ましい実施例が詳細に説明される。
【００２１】
なお、図１及び２と関連した事項は、本発明の実施例に同じように適用される。
【００２２】
図２及び６を参照して、図６の液晶ディスプレイパネル１０の本発明による構成を説明すれば、次の通りである。以下の説明において、薄膜トランジスタ３３２のドレーンとソースとは入れ替わりうる。
【００２３】
図６に示すように、それぞれのセル領域は、Ｎチャンネル型薄膜トランジスタ３３２及びセル電極Ｅ１１ＲないしＥ３１Ｂを含む。薄膜トランジスタ３３２のドレーンＤは、セル電極Ｅ１１ＲないしＥ３１Ｂに連結される。薄膜トランジスタら３３２のゲートＧは、走査駆動部５４からのそれぞれの走査電極ラインＬＳ１ないしＬＳ３に連結される。データ駆動部５５からのそれぞれのデータ電極ラインＬＤ１ないしＬＤ３は、薄膜トランジスタ３３２のソースＳに連結される。セル電極Ｅ１１ＲないしＥ３１Ｂとそれぞれの走査電極ラインＬＳ１ないしＬＳ３間には走査後の電圧維持のための保存キャパシタＣ１１ＲないしＣ３１Ｂが連結される。
【００２４】
このように構成された本発明によるフィールド順次型液晶ディスプレイパネル１０の動作過程を各フィールドＴＲ，ＴＧ，ＴＢ別に説明する。
【００２５】
まず、赤色フィールドＴＲの走査時間ＴＲＳでの動作過程は、次の通りである。
【００２６】
第１走査電極ラインＬＳ１に高い電圧、例えば、１８ボルトＶの走査信号が印加されれば、第１走査電極ラインＬＳ１の薄膜トランジスタがターンオンされ、データ駆動部５５からのデータ電圧信号が赤色用セル電極Ｅ１１Ｒに印加され、赤色用液晶セルＬ１１Ｒが駆動される。ここで、データ電圧信号は、階調によって０ないし１０ボルトＶを有し、上部基板の共通電極層には５ボルトＶが印加される。これにより、赤色用液晶セルＬ１１Ｒは、自体に印加される電圧、すなわち、赤色用セル電極Ｅ１１Ｒと上部基板の共通電極層間の電圧によって内部配列がなされる。
【００２７】
前記のような走査動作は、走査時間ＴＲＳ間に次の走査電極ラインＬＳ２ないしＬＳｎについても順次に行われる。
【００２８】
それぞれの走査電極ラインの走査終了時点から赤色照明時間ＴＲＬの開示時点までの時間で行われる電圧維持動作は、赤色用保存キャパシタＣ１１ＲないしＣ３１Ｒの充電によってなる。走査されない走査電極ラインには低い電圧、例えば、−５ボルトＶが印加されるので、赤色用薄膜トランジスタがターンオフされるにも拘わらず赤色用セル電極Ｅ１１ＲないしＥ３１Ｒの印加電圧が維持されうる。ここで、カラーフィルター型液晶ディスプレイパネルに比べて前記電圧維持時間が非常に短いので、赤色用セル電極Ｅ１１ＲないしＥ３１Ｒとそれぞれの走査電極ラインＬＳ１ないしＬＳ３間に形成された保存キャパシタＣ１１ＲないしＣ３１Ｒの容量だけでも電圧維持時間を十分に維持できる。
【００２９】
赤色照明時間ＴＲＬでは、照明装置４０から赤色のバックライトが赤色用液晶セルＬ１１ＲないしＬ３１Ｒを通じて液晶ディスプレイパネル１０の前に出射される。
【００３０】
次いで、緑色フィールドＴＧの走査時間ＴＧＳでの動作過程は、次の通りである。
【００３１】
第１走査電極ラインＬＳ１に高い電圧、例えば、１８ボルトＶの走査信号が印加されれば、第１走査電極ラインＬＳ１の薄膜トランジスタがターンオンされ、データ駆動部５５からのデータ電圧信号が緑色用セル電極Ｅ１１Ｇに印加され、緑色用液晶セルＬ１１Ｇが駆動される。ここで、データ電圧信号は、階調によって０ないし１０ボルトＶを有し、上部基板の共通電極層には５ボルトＶが印加される。これにより、緑色用液晶セルＬ１１Ｇは、自体に印加される電圧、すなわち、緑色用セル電極Ｅ１１Ｇと上部基板の共通電極層間の電圧によって内部配列がなされる。
【００３２】
前記のような走査動作は、走査時間ＴＧＳ間に次の走査電極ラインＬＳ２ないしＬＳｎに対しても順次に行われる。
【００３３】
それぞれの走査電極ラインの走査終了時点から緑色照明時間ＴＧＬの開示時点までの時間で行われる電圧維持動作は、緑色用保存キャパシタＣ１１ＧないしＣ３１Ｇの充電によってなる。走査されていない走査電極ラインには低い電圧、例えば、−５ボルトＶが印加されるので、緑色用薄膜トランジスタがターンオフされるにも拘わらず、緑色用セル電極Ｅ１１ＧないしＥ３１Ｇの印加電圧が維持されうる。ここで、カラーフィルター型液晶ディスプレイパネルに比べて前記電圧維持時間が非常に短いので、緑色用セル電極Ｅ１１ＧないしＥ３１Ｇとそれぞれの走査電極ラインＬＳ１ないしＬＳ３間に形成された保存キャパシタＣ１１ＧないしＣ３１Ｇの容量だけでも電圧維持時間を十分に維持できる。
【００３４】
緑色照明時間ＴＧＬでは、照明装置４０から緑色のバックライトが緑色用液晶セルＬ１１ＧないしＬ３１Ｇを通じて液晶ディスプレイパネル１０の前に出射される。
【００３５】
前記のように、青色フィールドＴＢの走査時間ＴＢＳでの動作過程は、次の通りである。
【００３６】
第１走査電極ラインＬＳ１に高い電圧、例えば、１８ボルトＶの走査信号が印加されれば、第１走査電極ラインＬＳ１の薄膜トランジスタがターンオンされ、データ駆動部５５からのデータ電圧信号が青色用セル電極Ｅ１１Ｂに印加され、青色用液晶セルＬ１１Ｂが駆動される。ここで、データ電圧信号は、階調によって０ないし１０ボルトＶを有し、上部基板の共通電極層には５ボルトＶが印加される。これにより、青色用液晶セルＬ１１Ｂは、自体に印加される電圧、すなわち、青色用セル電極Ｅ１１Ｂと上部基板の共通電極層間の電圧によって内部配列がなされる。
【００３７】
前記のような走査動作は、走査時間ＴＢＳ間に次の走査電極ラインＬＳ２ないしＬＳｎについても順次に行われる。
【００３８】
それぞれの走査電極ラインの走査終了時点から青色照明時間ＴＢＬの開示時点までの時間で行われる電圧維持動作は、青色用保存キャパシタＣ１１ＢないしＣ３１Ｂの充電によってなる。走査されない走査電極ラインには低い電圧、例えば、−５ボルトＶが印加されるので、青色用薄膜トランジスタがターンオフされるにも拘わらず、青色用セル電極Ｅ１１ＢないしＥ３１Ｂの印加電圧が維持されうる。ここで、カラーフィルター型液晶ディスプレイパネルに比べて前記電圧維持時間が非常に短いので、青色用セル電極Ｅ１１ＢないしＥ３１Ｂとそれぞれの走査電極ラインＬＳ１ないしＬＳ３間に形成された保存キャパシタＣ１１ＢないしＣ３１Ｂの容量だけでも電圧維持時間を十分に維持できる。
【００３９】
青色照明時間ＴＢＬでは、照明装置４０から青色のバックライトが青色用液晶セルＬ１１ＢないしＬ３１Ｂを通じて液晶ディスプレイパネル１０の前に出射される。
【００４０】
図７は、本発明のさらに他の実施例のフィールド順次型液晶ディスプレイパネル１０の構成を示す図面である。図７で、図６と同じ参照符号は同じ機能の対象を表す。したがって、図６のフィールド順次型液晶ディスプレイパネル１０との差異点だけを説明すれば、次の通りである。
【００４１】
図６のフィールド順次型液晶ディスプレイパネル１０の場合、第ｉ（ｉは、１以上の整数）走査電極ラインと、前記第ｉ走査電極ラインのそれぞれのセル電極間に前記保存キャパシタＣ１１ＲないしＣ３１Ｂが形成される。これに対して、図７のフィールド順次型液晶ディスプレイパネル１０の場合、第ｉ（ｉは、１以上の整数）走査電極ラインと、第（ｉ＋１）走査電極ラインのそれぞれのセル電極間に前記保存キャパシタＣ２１ＲないしＣ３１Ｂが形成される。その理由は、図４及び８の比較によって分かるように、セル電極Ｅ２１ＲないしＥ３１Ｂの上段部が走査電極ラインＬＳ１，ＬＳ２と対向するようにセル電極Ｅ２１ＲないしＥ３１Ｂの上部だけを延長することによって保存キャパシタＣ２１ＲないしＣ３１Ｂが形成されるためである。
【００４２】
図８で、図４と同じ参照符号は同じ機能の対象を表す。図５及び８を参照すれば、下部ガラス基板５１上にゲートＧを含む走査電極ラインＬＳ１ないしＬＳｎが形成される。
【００４３】
走査電極ラインＬＳ１，ＬＳ２上には絶縁層５２が形成され、この絶縁層５２上に半導体層ＳＥが形成される。この半導体層ＳＥ上にはソースＳを含むデータ電極ラインＬＤ１ないしＬＤ３、及びドレーンＤが形成される。データ電極ラインＬＤ１ないしＬＤ３及びドレーンＤ上には絶縁層５２が形成され、ドレーンＤ上に金属コンタクトＣＴが形成される。データ電極ラインＬＤ１ないしＬＤ３及びドレーンＤ上の絶縁層５２上にはセル電極Ｅ１１ＲないしＥ３１Ｂが形成される。セル電極Ｅ２１ＲないしＥ３１Ｂの上端部が走査電極ラインＬＳ１，ＬＳ２と対向するように配列されることによって保存キャパシタＣ２１ＲないしＣ３１Ｂが形成される。
【００４４】
ここで、走査電極ラインＬＳ１，ＬＳ２とセル電極Ｅ２１ＲないしＥ３１Ｂ間の間隔が相対的に広く、保存キャパシタＣ２１ＲないしＣ３１Ｂのキャパシタンスがカラーフィルター型液晶ディスプレイパネルに比べて狭い。しかし、前記電圧維持時間がカラーフィルター型液晶ディスプレイ装置に比べて短いので、保存キャパシタＣ２１ＲないしＣ３１Ｂのキャパシタンスは相対的に十分である。
【００４５】
図９は、アクティブマトリクス液晶ディスプレイパネルでセル電極の電圧維持時間に関わる保存キャパシタの必要キャパシタンスの一例を示す図面である。
【００４６】
反復的な実験によれば、何れか一解像度のアクティブマトリクス液晶ディスプレイパネルにおいて、カラーフィルター型液晶ディスプレイパネルの場合には電圧維持時間が単位フレームの時間の約１６．７ｍｓに比べて、フィールド順次型液晶ディスプレイパネルの場合には電圧維持時間が平均４．５ｍｓであった。この場合、カラーフィルター型液晶ディスプレイパネルの保存キャパシタの必要キャパシタンスが０．６ｐＦと大きい一方、フィールド順次型液晶ディスプレイパネルの場合には０．０７ｐＦと小さかった。したがって、別途の電極ライン、例えば、共通電極ラインを下部ガラス基板に形成せず既存の走査電極ラインを使用して保存キャパシタを形成することが可能である。反復的な実験によれば、この保存キャパシタのキャパシタンスが０．０７ｐＦないし０．２ｐＦであることが適切である。
【００４７】
本発明は、前記実施例に限定されず、特許請求の範囲に定義された発明の思想及び範囲内で当業者によって変形及び改良されうる。
【産業上の利用可能性】
【００４８】
本発明は、開口率が高まって輝度性能が向上されたフィールド順次型液晶ディスプレイ装置に利用されうる。
【図面の簡単な説明】
【００４９】
【図１】通常的なフィールド順次型液晶ディスプレイ装置の構成を示す図面である。
【図２】図１のフィールド順次型液晶ディスプレイパネルの駆動方法を示すタイミング図である。
【図３】従来のフィールド順次型液晶ディスプレイパネルの構成を示す回路図である。
【図４】図３のフィールド順次型液晶ディスプレイパネルの下部基板のパターン構造を示す平面図である。
【図５】図４の第１列及び第１カラムのセル領域の薄膜トランジスタを示す断面図である。
【図６】本発明の一実施例のフィールド順次型液晶ディスプレイパネルの構成を示す回路図である。
【図７】本発明のさらに他の実施例のフィールド順次型液晶ディスプレイパネルの構成を示す回路図である。
【図８】図７のフィールド順次型液晶ディスプレイパネルの下部基板のパターン構造を示す平面図である。
【図９】アクティブマトリクス液晶ディスプレイパネルでセル電極の電圧維持時間に対する保存キャパシタの必要キャパシタンスの一例を示すグラフである。
【符号の説明】
【００５０】
１０…液晶ディスプレイパネル
４０…照明装置
５１…データ変換部
５２…映像メモリ
５３…バッファ
５４…走査駆動部
５５…データ駆動部
５６…照明制御部
５７…制御部
ＴＲ…赤色フィールド
ＴＧ…緑色フィールド
ＴＢ…青色フィールド
ＴＲＳ，ＴＧＳ，ＴＢＳ…走査時間
ＴＲＬ，ＴＧＬ，ＴＢＬ…照明時間
ＬＳ１，ＬＳ２，ＬＳ３…走査電極ライン
ＬＤ１，ＬＤ２，ＬＤ３…データ電極ライン
Ｓ…ソース
Ｇ…ゲート
Ｄ…ドレーン
ＣＯＭ…共通電極ライン
Ｃ１１ＲないしＣ２１Ｂ…保存キャパシタ
Ｅ１１ＲないしＥ２１Ｂ…セル電極
Ｌ１１ＲないしＬ２１Ｂ…液晶セル
３３２…薄膜トランジスタ
ＣＴ…コンタクト領域
５１…下部透明基板
５２…絶縁層
ｔＧＦ…電圧維持時間
ＣＳＴ…保存キャパシタの必要キャパシタンス
【図１】
2005037874.tif 000003
【図２】
2005037874.tif 000004
【図３】
2005037874.tif 000005
【図４】
2005037874.tif 000006
【図５】
2005037874.tif 000007
【図６】
2005037874.tif 000008
【図７】
2005037874.tif 000009
【図８】
2005037874.tif 000010
【図９】
2005037874.tif 000011